(57)【特許請求の範囲】
【請求項１】
広告主が広告業者への広告代金の支払いのために予め購入する広告ポイントを記録し、前記広告主が選択する広告方法の内容に応じて広告ポイントを算出して、前記広告主の保持する広告ポイントから減算する広告ポイント預託システムにおける広告ポイント預託方法であって、
前記広告ポイント預託システム内のサーバが、広告主が購入した広告ポイントを広告主ＩＤに関連付けてデータベースに登録する広告ポイント購入ステップと、
前記サーバが、広告方法を選択させるための広告方法選択メニューに、共同キャンペーンを選択するためのメニューであって共同キャンペーンへの応募人数に応じたポイント数と人数に応じて還元するポイント数とを広告方法の情報として含むメニューを含ませて前記広告主の端末に表示させる広告方法選択メニュー表示ステップと、
前記サーバが、前記広告方法選択メニューにより選択された広告方法の情報を前記広告主の端末から受信する広告メニュー選択情報受付ステップと、
前記広告ポイント預託システム内のユーザ閲覧サイトサーバが、ユーザからのアクセスを受け付けるユーザ閲覧サイトにより、ユーザ端末からのアクセスを受け付けるユーザアクセス受付ステップと、
前記ユーザ閲覧サイトサーバが、前記ユーザ閲覧サイトにより、前記ユーザ端末からの共同キャンペーンへの応募情報を収集してデータベースに記録するキャンペーン応募情報収集ステップと、
前記サーバが、前記広告方法選択メニューにより共同キャンペーンが選択された場合に、前記データベースに記録された応募情報に基づいて応募人数を計数し、前記広告メニュー選択情報受付ステップにおいて受信した広告方法の情報に含まれる応募人数に応じたポイント数と前記計数した応募人数とに基づいて広告ポイントを算出し、算出した広告ポイントを前記データベースに登録されている前記広告主の広告ポイントから減算し、減算した結果を前記広告主の広告ポイントとして前記データベースに記録する共同キャンペーンポイント減算ステップと、
前記サーバが、人数を含む広告ポイント加算の指示を受信すると、前記広告メニュー選択情報受付ステップにおいて受信した広告方法の情報に含まれる人数に応じて還元するポイント数と前記広告ポイント加算の指示に含まれる人数とに基づいて広告ポイントを算出し、算出した広告ポイントを前記データベースに登録されている前記広告主の広告ポイントに加算し、加算した結果を前記広告主の広告ポイントとして前記データベースに記録する共同キャンペーンポイント還元ステップと、
を含むことを特徴とする広告ポイント預託方法。
【請求項２】
前記広告方法選択メニュー表示ステップは、告知型の広告による広告方法、および成果型の広告による広告方法を選択可能な前記広告方法選択メニューを前記広告主の端末に表示させ、
前記広告方法選択メニューは、各広告方法の情報として、各告知型の広告のポイント数と、各成果型の広告の広告成果に応じたポイント数とを含み、
前記サーバが、前記広告方法選択メニューにより前記成果型の広告による広告方法が選択された場合に、該成果型の広告による広告成果の情報を収集する広告成果情報収集ステップと、
前記サーバが、前記広告方法選択メニューにより前記成果型の広告による広告方法が選択された場合に、前記選択された成果型の広告の広告成果に応じたポイント数と前記広告成果情報収集ステップにより得られた広告成果の情報に基づいて広告ポイントを算出し、算出した広告ポイントを前記データベースに登録している前記広告主の広告ポイントから減算し、減算した結果を前記広告主の広告ポイントとして前記データベースに記憶する第１の広告ポイント計算ステップと
前記サーバが、前記広告方法選択メニューにより前記告知型の広告による広告方法が選択された場合に、前記選択された告知型の広告のポイント数を前記データベースに登録している前記広告主の広告ポイントから減算し、減算した結果を前記広告主の広告ポイントとして前記データベースに記憶する第２の広告ポイント計算ステップと
を含むことを特徴とする請求項１に記載の広告ポイント預託方法。
【請求項３】
前記広告方法選択メニューには、
基本料金となる固定ポイント制の１または２以上の告知型の広告方法のメニューと、
広告による成果の情報を基に算出される従量ポイント制の１または２以上の成果型の広告方法のメニューと
が含まれることを特徴とする請求項１または請求項２に記載の広告ポイント預託方法。
【請求項４】
前記広告方法選択メニュー中の固定ポイント制のメニューには、ユーザに提供される可搬の情報記録媒体を使用した広告方法のメニューが含まれ、
前記可搬の情報記録媒体を使用した広告方法のメニューには、
可搬の情報記録媒体のリーフレットに広告を載せるか、または、可搬の情報記録媒体を書籍に添付して配布する場合に、当該書籍に広告を載せる方法と、
前記可搬の情報記録媒体で閲覧される画像中に広告を表示する方法と
が含まれることを特徴とする請求項１から３のいずれかに記載の広告ポイント預託方法。
【請求項５】
前記広告ポイント預託システムに、ユーザからのアクセスを受け付けるユーザ閲覧サイトを設け、
前記ユーザ閲覧サイトにより、ユーザの端末からのアクセスを受け付けるユーザアクセス受付ステップと、
前記ユーザ閲覧サイトにより、前記ユーザ端末に対してアンケート情報を送信し、ユーザ端末からのアンケート回答情報を収集してデータベースに記録するアンケート収集ステップと
を含み、
前記広告方法選択メニューには、アンケート収集を選択させるメニューであって、広告方法の情報としてアンケート収集における回答人数に応じたポイント数を含むメニューを含ませ、
前記広告方法選択メニューによりアンケート収集メニューが選択された場合に、前記データベースに記録されたアンケート回答情報に基づいてアンケートの回答人数を計数し、前記アンケート収集における回答人数に応じたポイント数と前記計数したアンケートの回答人数とに基づいて広告ポイントを算出し、算出した広告ポイントを前記データベースに登録されている前記広告主の広告ポイントから減算し、減算した結果を前記広告主の広告ポイントとして前記データベースに記録するアンケート収集ポイント計算ステップを
含むことを特徴とする請求項１から４のいずれかに記載の広告ポイント預託方法。
【請求項６】
前記広告方法選択メニューには、ユーザポイントの設定を選択させるメニューであって、広告方法の情報としてアクセスしたユーザに付与するサービスポイントを含むメニューを含ませ、
前記広告ポイント預託システムに、ユーザからのアクセスを受け付けるユーザ閲覧サイトを設け、
前記ユーザ閲覧サイトにより、ユーザの端末からのアクセスを受け付けるユーザアクセス受付ステップと、
前記ユーザ閲覧サイトにより、アクセスしたユーザの端末に前記サービスポイントを付与し、該サービスポイントをユーザに通知すると共に、ユーザに付与したサービスポイントの情報を前記データベースに記録するユーザポイント還元ステップと
前記広告方法選択メニューにより前記ユーザポイントの設定が選択された場合に、前記ユーザポイント還元ステップにおいてユーザに付与したサービスポイントを、前記データベースに登録している前記広告主の広告ポイントから減算し、減算した結果を前記広告主の広告ポイントとして前記データベースに記録するユーザ還元ポイント計算ステップを
含むことを特徴とする請求項１から５のいずれかに記載の広告ポイント預託方法。
【請求項７】
広告主が広告業者への広告代金の支払いのために予め購入する広告ポイントを記録し、前記広告主が選択する広告方法の内容に応じて広告ポイントを算出して、前記広告主の保持する広告ポイントから減算する広告ポイント預託システムであって、
広告主が購入した広告ポイントを広告主ＩＤに関連付けてデータベースに登録する広告ポイント購入受付手段と、
広告方法を選択させるための広告方法選択メニューに、共同キャンペーンを選択するためのメニューであって共同キャンペーンへの応募人数に応じたポイント数と人数に応じて還元するポイント数とを広告方法の情報として含むメニューを含ませて前記広告主の端末に表示させる広告方法選択メニュー表示手段と、
前記広告方法選択メニューにより選択された広告方法の情報を前記広告主の端末から受信する広告メニュー選択情報受付手段と、
ユーザからのアクセスを受け付けるユーザ閲覧サイトにより、ユーザ端末からのアクセスを受け付けるユーザアクセス受付手段と、
前記ユーザ閲覧サイトにより、前記ユーザ端末からの共同キャンペーンへの応募情報を収集してデータベースに記録するキャンペーン応募情報収集手段と、
前記広告方法選択メニューにより共同キャンペーンが選択された場合に、前記データベースに記録された応募情報に基づいて応募人数を計数し、前記広告メニュー選択情報受付手段により受信した広告方法の情報に含まれる応募人数に応じたポイント数と前記計数した応募人数とに基づいて広告ポイントを算出し、算出した広告ポイントを前記データベースに登録されている前記広告主の広告ポイントから減算し、減算した結果を前記広告主の広告ポイントとして前記データベースに記録する共同キャンペーンポイント減算手段と、
人数を含む広告ポイント加算の指示を受信すると、前記広告メニュー選択情報受付手段により受信した広告方法の情報に含まれる人数に応じて還元するポイント数と前記広告ポイント加算の指示に含まれる人数とに基づいて広告ポイントを算出し、算出した広告ポイントを前記データベースに登録されている前記広告主の広告ポイントに加算し、加算した結果を前記広告主の広告ポイントとして前記データベースに記録する共同キャンペーンポイント還元手段と、
を備えることを特徴とする広告ポイント預託システム。
【発明の詳細な説明】
【技術分野】
【０００１】
本発明は、広告主が効果的な広告方法を容易に指定でき、また、広告の内容および広告の成果に応じて、広告料金をポイントにより支払うことができる、広告ポイント預託方法、および広告ポイント預託システムに関するものである。
【背景技術】
【０００２】
近時、ＣＤ−ＲＯＭ等の情報記録媒体をユーザに配布して広告を行うことが行われている。この情報記録媒体は、雑誌等に添付されて提供されたり、また、店舗や駅等でユーザに無料で配布されるものである。
【０００３】
この配布された情報記録媒体をユーザのＰＣ（パーソナルコンピュータ）により再生することにより、例えば、ユーザは、情報を閲覧したり、映像等のコンテンツを楽しむことができる。この場合に、広告主は情報記録媒体のリーフレットに広告を載せたり、情報記録媒体を添付した雑誌の紙面に広告を載せたり、情報記録媒体の表面に広告を表示したり、または、再生される映像中に広告を表示することにより、自社商品の宣伝を行う。
【０００４】
ところで、広告主が広告を出す場合は、広告業者に一括して広告を依頼することが普通であり、商品の種類に応じて、広告業者が提供する複数の広告方法中から最適な方法（最大の広告効果が得られるもの）を選択して広告業者に依頼することになる。例えば、上述した情報記録媒体を用いた広告の場合は、雑誌等の紙面だけに広告を表示するか、映像中にも広告を表示するかを選択したり、また、他の広告方法、例えば、アンケートのサイトを提供したり、広告主のサイトを閲覧（ページビュー）したユーザに特典と引き換えできるサービスポイントを提供するかなどを指定することになる。
【０００５】
なお、従来技術の累積ポイントによるサービス方法およびそのシステムがある（例えば、特許文献１参照）。この従来技術は、インターネット環境において、利用者と提供者との情報交換が可能となり、また、利用者のコンテンツ利用に応じたポイントの累積に応じてサービス提供を行う累積ポイントによるサービス方法およびそのシステムを提供することを目的としている。このために、ユーザのコンテンツ提供に関する申込み／受付から、その後のコンテンツ提供履歴などの各種履歴、利用頻度、各利用に応じたポイントの累積情報をそれぞれにサーバを設けて管理する。ポイントの累積に応じてインターネット上で、ユーザを認証し、それに応じた特典の提供をインターネットを介して行う。
【特許文献１】特開２００２−７４１３６号公報
【発明の開示】
【発明が解決しようとする課題】
【０００６】
従来、広告主が広告を出す場合、広告業者が広告主に広告方法についての内容を説明し、打合せをしながら広告方法を決定する必要があった。また、広告料金についても、ある方法による広告を１００万円とするなど、その都度決定していた。しかしながら、広告主と広告業者の双方にとって、打合せを行いながら広告方法を決定することは煩わしい作業であった。また、広告主にとっては、広告の効果がどの程度のものであるかが最大の関心事であり、広告の成果に応じて、従量制により料金を支払うことを望んでいるが、従来の料金体系では、この作業が煩雑となり実際的でなかった。さらに、顧客に対してサービスポイントを還元する場合にも、従来の料金体系では、サービスポイントを管理する作業負担が大きくなっていた。
【０００７】
しかしながら、特許文献１に示す累積ポイントによるサービス方法およびそのシステムは、ユーザの取得したポイント数に応じてサービスを提供しようとするものであり、上記問題点を解決しようとするものではなく、本発明とは目的が異なるものである。
【０００８】
本発明はこのような問題を解決するためになされたもので、その目的は、広告主が効果的な広告方法を容易に指定でき、また、広告の内容および広告の成果に応じて、広告料金を広告ポイントにより支払うことができ、さらに、顧客にサービスポイントを容易に提供することができる、広告ポイント預託方法、および広告ポイント預託システムを提供することにある。
【課題を解決するための手段】
【０００９】
本発明はかかる課題を解決するものであり、本発明は、広告主が広告業者への広告代金の支払いのために予め購入する広告ポイントを記録し、前記広告主が選択する広告方法の内容に応じて広告ポイントを算出して、前記広告主の保持する広告ポイントから減算する広告ポイント預託システムにおける広告ポイント預託方法であって、前記広告ポイント預託システム内のサーバが、広告主が購入した広告ポイントを広告主ＩＤに関連付けてデータベースに登録する広告ポイント購入ステップと、前記サーバが、広告方法を選択させるための広告方法選択メニューを前記広告主の端末に表示させる広告方法選択メニュー表示ステップと、前記サーバが、前記広告方法選択メニューにより選択された広告方法の情報を前記広告主の端末から受信する広告メニュー選択情報受付ステップと、前記サーバが、前記広告方法選択メニューにより選択された広告方法の内容を基に広告ポイントを算出し、前記データベースに登録している前記広告主の広告ポイントから減算する広告ポイント計算ステップとを含むことを特徴とする広告ポイント預託方法としたものである。
【００１０】
本発明は、広告主が広告業者への広告代金の支払いのために予め購入する広告ポイントを記録し、前記広告主が選択する告知型広告の内容と成果型広告の成果とに応じて広告ポイントを算出して、前記広告主の保持する広告ポイントから減算する広告ポイント預託システムにおける広告ポイント預託方法であって、前記広告ポイント預託システム内のサーバが、広告主が購入した広告ポイントを広告主ＩＤに関連付けてデータベースに登録する広告ポイント購入ステップと、前記サーバが、前記告知型の広告による広告方法、および成果型の広告による広告方法を選択させるための広告方法選択メニューを前記広告主の端末に表示させる広告方法選択メニュー表示ステップと、前記サーバが、前記広告方法選択メニューにより選択された広告方法の情報を前記広告主の端末から受信する広告メニュー選択情報受付ステップと、前記サーバが、前記成果型の広告による広告方法が選択された場合に、該成果型の広告による広告成果の情報を収集する広告成果情報収集ステップと、前記サーバが、前記広告方法選択メニューより選択された告知型の広告方法の内容と、前記広告成果情報収集ステップにより得られた広告成果の情報を基に広告ポイントを算出し、前記データベースに登録している前記広告主の広告ポイントから減算する広告ポイント計算ステップとを含むことを特徴とする広告ポイント預託方法としたものである。
【００１１】
本発明は、は、前記広告方法選択メニューには、基本料金となる固定ポイント制の１または２以上の告知型の広告方法のメニューと、広告による成果の情報を基に算出される従量ポイント制の１または２以上の成果型の広告方法のメニューとが含まれることを特徴とする上記の広告ポイント預託方法としたものである。
【００１２】
本発明は、前記広告方法選択メニュー中の固定ポイント制のメニューには、ユーザに提供される可搬の情報記録媒体を使用した広告方法のメニューが含まれ、前記可搬の情報記録媒体を使用した広告方法のメニューには、可搬の情報記録媒体のリーフレットに広告を載せるか、または、可搬の情報記録媒体を書籍に添付して配布する場合に、当該書籍に広告を載せる方法と、前記可搬の情報記録媒体で閲覧される画像中に広告を表示する方法とが含まれることを特徴とする上記の広告ポイント預託方法としたものである。
【００１３】
本発明は、前記広告ポイント預託システムに、ユーザからのアクセスを受け付けるユーザ閲覧サイトを設け、前記ユーザ閲覧サイトにより、ユーザの端末からのアクセスを受け付けるユーザアクセス受付ステップと、前記ユーザ閲覧サイトにより、前記ユーザ端末に対してアンケート情報を送信し、ユーザ端末からのアンケート回答情報を収集してデータベースに記録するアンケート収集ステップとを含み、前記広告方法選択メニューには、アンケート収集を選択させるメニューを含ませ、前記広告方法選択メニューによりアンケート収集メニューが選択された場合に、前記アンケート回答情報の収集情報を基に広告ポイントを計算し、前記広告主の広告ポイントから減算するアンケート収集ポイント計算ステップを含むことを特徴とする上記の広告ポイント預託方法としたものである。
【００１４】
本発明は、前記広告ポイント預託システムに、ユーザからのアクセスを受け付けるユーザ閲覧サイトを設け、前記ユーザ閲覧サイトにより、ユーザの端末からのアクセスを受け付けるユーザアクセス受付ステップと、前記ユーザ閲覧サイトにより、アクセスしたユーザの端末に広告ポイントをサービスポイントとして付与し、該サービスポイントをユーザに通知すると共に、ユーザに付与したサービスポイントの情報を前記データベースに記録するユーザポイント還元ステップとを含み、前記広告方法選択メニューには、ユーザポイントの設定を選択させるメニューを含ませ、前記ユーザポイントの設定が選択された場合に、前記ユーザに付与したサービスポイントの情報を基に広告ポイントを算出し、前記データベースに登録している前記広告主の広告ポイントから減算するユーザ還元ポイント計算ステップを含むことを特徴とする上記の広告ポイント預託方法としたものである。
【００１５】
本発明は、前記広告ポイント預託システムに、ユーザからのアクセスを受け付けるユーザ閲覧サイトを設け、前記ユーザ閲覧サイトにより、ユーザの端末からのアクセスを受け付けるユーザアクセス受付ステップと、前記ユーザ閲覧サイトにより、前記ユーザ端末からの共同キャンペーンへの応募情報を収集してデータベースに記録するキャンペーン応募情報収集ステップとを含み、前記広告方法選択メニューには、共同キャンペーンを選択させるメニューを含ませ、前記広告方法選択メニューにより共同キャンペーンメニューが選択された場合に、前記応募情報の収集情報を基に広告ポイントを計算し、前記広告主の広告ポイントから減算する共同キャンペーンポイント減算ステップと、広告ポイント加算の指示を受信し、共同キャンペーン先が取得した前記応募情報に応じたポイントを、前記広告主の広告ポイントに加算する共同キャンペーンポイント還元ステップとを含むことを特徴とする上記の広告ポイント預託方法としたものである。
【００１６】
本発明は、広告主が広告業者への広告代金の支払いのために予め購入する広告ポイントを記録し、前記広告主が選択する広告方法の内容に応じて広告ポイントを算出して、前記広告主の保持する広告ポイントから減算する広告ポイント預託システムであって、広告主が購入した広告ポイントを広告主ＩＤに関連付けてデータベースに登録する広告ポイント購入受付手段と、広告方法を選択させるための広告方法選択メニューを前記広告主の端末に表示させる広告方法選択メニュー表示手段と、前記広告方法選択メニューにより選択された広告方法の情報を前記広告主の端末から受信する広告メニュー選択情報受付手段と、前記広告方法選択メニューにより選択された広告方法の内容を基に広告ポイントを算出し、前記データベースに登録している前記広告主の広告ポイントから減算する広告ポイント計算手段とを備えることを特徴とする広告ポイント預託システムとしたものである。
【発明の効果】
【００１７】
本発明においては、広告主が予め購入した広告ポイントを記録し、広告の出し方（広告方法）を選択させるメニュー画面を広告主の端末に表示させ、該メニュー画面により広告主に選択された広告方法に応じて広告ポイントを算出し、広告主の保持する広告ポイントから減算するようにしたので、これにより、広告主は、広告主の予算内で、効果的な広告方法を容易に選択でき、また、広告の内容に応じて、広告料金を広告ポイントにより支払うことができる。
【００１８】
本発明においては、広告主が予め購入した広告ポイントを記録し、広告の出し方（広告方法）を選択させるメニュー画面を広告主の端末に表示させ、該メニュー画面により告知型の広告および成果型の広告方法を選択できるようにし、広告主が選択した告知型の広告の内容および成果型の広告の成果情報を基に広告ポイントを算出し、広告主の保持する広告ポイントから減算するようにしたので、これにより、広告主は、広告主の予算内で、効果的な広告方法を容易に選択でき、また、広告の内容および広告の成果に応じて、広告料金を広告ポイントにより支払うことができる。特に、成果型の広告については、実際にユーザに広告が届けられた場合や、ユーザからアンケート情報を収集した場合などに、広告主の保持する広告ポイントが自動的に減算されるため、広告の効果に応じた従量制で広告ポイントを支払うことができるようになる。
【００１９】
本発明においては、広告の出し方（広告方法）を選択させるメニューに、基本料金となる固定ポイント制の告知型の広告のメニューと、従量ポイント制の成果型の広告のメニューとが含まれるようにしたので、これにより、広告主は、広告主の予算内で、告知型広告と成果型広告とを組み合わせて、最も効果のある広告方法を容易に指定して広告を出すことができる。
【００２０】
本発明においては、広告の出し方を選択させるメニューに、ユーザに提供される情報記録媒体を使用した広告のメニューが含まれるようにしたので、これにより、広告主は、広告主の予算内で、情報記録媒体を使用した広告方法を容易に指定できるようになる。
【００２１】
本発明においては、広告の出し方を選択させるメニューに、ユーザからアンケート情報を収集するメニューが含まれるようにしたので、これにより、ユーザから収集したアンケート数に応じた従量制で広告ポイントを支払うことができる。
【００２２】
本発明においては、ユーザ閲覧サイトにアクセスしたユーザに広告ポイントをサービスポイントとして付与するようにしたので、これにより、広告の保持する広告ポイントをサービスポイントとしてユーザに提供することができる。このため、広告ポイントとサービスポイントの管理を一元化でき、サービスポイントの提供と管理が容易になる。
【００２３】
本発明においては、広告の出し方を選択させるメニューに、ユーザから共同キャンペーンへの応募情報を収集するメニューが含まれるようにしたので、これにより、ユーザから収集した共同キャンペーンへの応募数に応じた従量制で広告ポイントを支払うとともに、共同キャンペーン先から広告ポイントの還元を受けることができる。このため、共同キャンペーンへの応募が多いほど還元されるポイントも多くなり、広告主は、割安に広告を出すことができる。
【００２４】
本発明においては、広告主が予め購入した広告ポイントを記録し、広告の出し方（広告方法）を選択させるメニュー画面を広告主の端末に表示させ、該メニュー画面により広告主に選択された広告方法に応じて広告ポイントを算出し、広告主の保持する広告ポイントから減算するようにしたので、これにより、広告主は、広告主の予算内で、効果的な広告方法を容易に選択でき、また、広告の内容に応じて、広告料金を広告ポイントにより支払うことができる。
【発明を実施するための最良の形態】
【００２５】
次に本発明を実施するための最良の形態について図面を参照して説明する。
図１は、本発明による広告ポイント預託システムの概要を示す図である。最初に、図１を参照して、本発明の広告ポイント預託システムにおける処理の大まかな流れについて説明する。
【００２６】
図１に示す広告ポイント預託システム１は、アドポイント管理サーバ１００と、Ｗｅｂ＆Ｍａｉｌサーバ（ウェブ＆メールサーバ）２１と、ユーザ閲覧サイトサーバ３１とで構成された例を示している。なお、これらのサーバは１つのサーバに集約することもできる。
【００２７】
この広告ポイント預託システム１における処理は、アドポイント購入フロー１１、告知型広告購入フロー１２、成果型広告購入フロー１３及び１５、ポイント還元広告購入フロー１４、広告主へのポイント還元フロー１６に分けられる。
【００２８】
最初のアドポイント購入フロー１１では、広告主２は、広告業者に広告代金を入金することにより、広告を出すために使用するアドポイント（広告ポイント）を予め購入し、アドポイント管理サーバ１００にアドポイント１００Ａとして保持する（ステップＳ１）。例えば、１０００ｐｔ（１０００ポイント）を購入する。
【００２９】
続いて、広告主２は、広告ポイント預託システム内のＷｅｂ＆Ｍａｉｌサーバ２１が提供するＷｅｂページのアドメニュー２１Ａを、広告主２の広告主端末２Ａにアドメニュー画面として表示する。広告主２は、このアドメニュー画面を見て、どのような方法で広告を出すかを決める（ステップＳ２）。なお、アドメニューは広告主が広告の出し方（広告方法）を選択・指定するためのメニュー画面に表示される情報であり、アドメニューについては、図２において、詳細については後述する。
【００３０】
告知型広告購入フロー１２において、告知型の広告（不特定多数のユーザに対して告知される広告）を選択する。この告知型広告購入フロー１２において、例えば、「フリーＤＶＤ（ユーザに無料で提供される広告用のＤＶＤ）」による広告を選択すると、その対価となるアドポイントが、広告主のアドポイント１００Ａから減算されることになる（ステップＳ３）。そして、このフリーＤＶＤを選択することにより、フリーＤＶＤが製作されて、ユーザに配布されることになる。
【００３１】
なお、このフリーＤＶＤをユーザのＰＣ（パーソナルコンピュータ）により再生することにより、ユーザは、広告主から提供される映像等のコンテンツを楽しむことができる。広告主はフリーＤＶＤのリーフレットに広告を載せたり、フリーＤＶＤを添付した雑誌の紙面に広告を載せたり、フリーＤＶＤの表面に広告を表示したり、または、再生される映像中に広告を表示することにより、自社商品の宣伝を行う。また、フリーＤＶＤをＰＣに装着することにより、自動的に広告主のサイトにアクセスし、広告主のサイトから広告を提供する。また、この際にユーザのアンケート調査を行うこともある。なお、ＤＶＤの他、ＣＤ、メモリなど、可搬の情報記録媒体として任意の光学記録媒体、磁気記録媒体、光磁気記録媒体、電子媒体を用いることができる。
【００３２】
成果型広告購入フロー１３において、成果型の広告（広告によって実際に成果が生じた場合にのみ、広告業者に報酬が支払われる広告）を選択する。例えば、「アンケートの収集」などを選択する。このアンケートの収集を選択すると、ユーザがユーザ閲覧サイトサーバ３１にアクセスした場合に（例えば、フリーＤＶＤを使用してアスセスした場合に）、ユーザに広告対象商品等についてのアンケートを依頼し（ステップＳ４）、アンケートに回答した人数（広告の成果）に応じて広告主のアドポイント１００Ａが減算されることになる（ステップＳ５）。
【００３３】
そして、最後に、ポイント還元広告購入フロー１４において、例えば、「ユーザポイントの設定（ユーザ還元ポイントの設定）」を選択する。この「ユーザポイントの設定」を選択すると、ユーザ閲覧サイトサーバ３１にアクセスし、広告主のＷｅｂページ３１Ａを閲覧したユーザにアドポイントをサービスポイントとして提供することができる（ステップＳ６）。そして、ユーザに還元されたアドポイントの分が広告主のアドポイント１００Ａから減算されることになる（ステップＳ７）。
【００３４】
あるいは、告知型広告購入フロー１２の後、成果型広告購入フロー１５において、成果型の広告、例えば、「共同キャンペーン」を選択する。共同キャンペーンとは、広告主４と、広告ポイント預託システム１を管理する事務局４とが共同で行うキャンペーンのことである。この「共同キャンペーン」を選択すると、ユーザがユーザ閲覧サイトサーバ３１にアクセスした場合に（例えば、フリーＤＶＤを使用してアクセスした場合に）、ユーザに共同キャンペーンの内容を通知するとともに参加を募集し（ステップＳ８１）、共同キャンペーンに応募した人数（広告の成果）に応じて広告主のアドポイント１００Ａが減算されることになる（ステップＳ８２）。共同キャンペーンへの応募により収集したユーザの情報は、事務局４側でも把握して資産として用い（ステップＳ８３）、事務局４における活用分に応じて広告主のアドポイント１００Ａが加算されることになる（ステップＳ８４）。
【００３５】
以上、本発明による広告ポイント預託システムの概要について説明したが、これにより、広告主２は、広告主の予算内で、効果的な広告方法を容易に選択でき、また、広告の内容および広告の成果に応じて、広告料金をアドポイントにより支払うことができる。特に、成果型の広告については、実際にユーザに広告が届けられた場合や、ユーザからアンケート情報を収集した場合などに、広告主の保持する広告ポイントが自動的に減算されるため、広告の効果に応じた従量制で広告ポイントを支払うことができるようになる。
【００３６】
また、広告主の保持する広告ポイントをサービスポイントとしてユーザに提供することができる。このため、広告ポイントとサービスポイントの管理を一元化でき、サービスポイントの提供と管理が容易になる。
【００３７】
また、広告主２と事務局４とが共同で開催するキャンペーンにおいては、ユーザから共同キャンペーンへの応募情報を収集した場合などに、広告主の保持する広告ポイントが自動的に減算されるとともに、事務局４からは広告ポイントが還元される。このように、ユーザからの応募が増えれば増えるほど広告主２へ広告ポイントが還元されるため、結果的に、広告主２は、安い値段で広告を行うことが可能になる。なお、共同キャンペーンの他、共同での会員獲得活動などのバリエーションが作成可能である。
【００３８】
図２は、広告主がアドメニューにより選択できる広告の出し方の例を示す図である。図２に示すように、広告主が広告を出す方法としては、以下の例がある。
「フリーＤＶＤ（紙面）」は、告知型の広告方法であり、フリーＤＶＤのリーフレットに広告を載せる他、フリーＤＶＤを書籍・雑誌等に添付して配布する場合に、当該雑誌等に広告を載せる方法であり、告知型広告購入フロー１２において選択される。また、このフリーＤＶＤ（紙面）はアドポイント１００ｐｔの固定ポイント制であり、このフリーＤＶＤ（紙面）を選択することにより、広告主のアドポイントが１００ｐｔだけ減算されることになる。
【００３９】
「フリーＤＶＤ（映像）」は、告知型の広告方法であり、フリーＤＶＤで閲覧される画像中に広告を表示する方法であり、告知型広告購入フロー１２において選択される。また、このフリーＤＶＤ（映像）はアドポイント１００ｐｔの固定ポイント制であり、このフリーＤＶＤ（映像）を選択することにより、広告主のアドポイントが１００ｐｔだけ減算されることになる。
【００４０】
「アンケートの収集」は、成果型の広告であり、例えば、ユーザが、ユーザ閲覧サイトサーバ３１の広告主のＷｅｂページ３１Ａにアクセスしアンケートに回答した場合に、広告の成果として広告業者にアドポイントを支払うことを選択するものである。この「アンケート収集」は、成果型広告購入フロー１３において選択される。また、このアンケートの収集は、アドポイント１０ｐｔ／アンケートの従量ポイント制であり、一人のユーザのアンケートの回答が得られるごとに、広告主のアドポイントが１０ｐｔ／人で減算されることになる。
【００４１】
「ＰｔｏＰネットワーク」は、ユーザのＰＣ間で、プロモーション映像などのコンテンツを流通させる広告方法を選択するものである。このＰｔｏＰ配信は成果型広告購入フロー１３において選択される。例えば、ＰｔｏＰ配信で他のユーザから暗号化コンテンツを取得したユーザが、復号キーをダウンロードするためにユーザ閲覧サイトサーバ２１にアクセスし、広告主のＷｅｂページ２１Ａを閲覧（ページビュー）した場合に、広告主２がアドポイントを支払うことを選択するものである。また、このＰｔｏＰ配信は、アドポイント１０ｐｔ／人の従量ポイント制である。
【００４２】
「Ｗｅｂサイトにバナー広告表示」は、Ｗｅｂサイト（例えば、地図提供サイトから提供される地図画面）にバナー広告を表示する方法である。このバナー広告表示は成果型の広告であり、成果型広告購入フロー１３において選択される。また、このバナー広告表示は、アドポイント１０ｐｔ／サイトの従量ポイント制であり、１つのサイトにバナー広告表示が行われるごとに、広告主のアドポイントが１０ｐｔ／サイトで減算されることになる。
【００４３】
「ユーザポイントの設定（ユーザへのポイント還元の設定）」は、ユーザがユーザ閲覧サイトサーバ３１などにアクセスし、広告主のＷｅｂページ３１Ａを閲覧（ページビュー）した場合に、アクセスしたユーザに対し、アドポイントをサービスポイントとして提供することを選択する。また、ユーザが、マイページ（またはマイルーム等）にバナー広告などを表示した場合等にアドポイントをサービスポイントとして提供することを選択する。なお、この場合は、ユーザに還元するサービスポイントのレート（例えば、１０ｐｔ／ページビューなど）と、ユーザに還元するアドポイントの総量も設定する。この「ユーザポイントの設定」は、ポイント還元広告購入フロー１４において選択される。
【００４４】
ユーザは、プレゼントされたアドポイントを蓄積し、蓄積したアドポイント数に応じて、サービス（例えば、曲が買える、マイルームにおくことができる特典画像をダウンロードできるなど）と引き換えできる。なお、マイルームとは、ユーザの自己紹介等のサイトであり、ユーザのアバター（ユーザの分身を象徴する人物等の画像）等がおかれる。
【００４５】
「共同キャンペーン」は、成果型の広告であり、例えば、ユーザが、ユーザ閲覧サイトサーバ３１の広告主のＷｅｂページ３１Ａにアクセスし共同キャンペーンに応募した場合に、広告主２が広告の成果として広告業者にアドポイントを支払い、共同キャンペーン先である事務局４が共同キャンペーンに応募してきたユーザの応募情報を活用した分だけ広告主２へアドポイントが還元されることを選択するものである。ここでは、一人のユーザの応募があるごとに、広告主のアドポイントが２０ｐｔ／人で減算されることになり、事務局４が一人のユーザの情報を取得するごとに広告主のアドポイントに５ｐｔ／人が加算されることになる。この「共同キャンペーン」は、成果型広告購入フロー１５において選択される。
【００４６】
図２に示した、各広告方法については、「フリーＤＶＤ（紙面）」と「フリーＤＶＤ（映像）」を申し込み、アドポイントを支払い、残りのアドポイントを、「Ｗｅｂサイトにバナー広告表示」、「ユーザポイントの設定（ユーザへのポイント還元）」に使用するといった、複数の組合せを選択することが可能である。また、上述したように、広告を出す方法によって、広告主のアドポイントの減り方が異なり、アドポイントの減り方には、固定ポイント制、従量ポイント制、その組合せがあることになる。また、所定数以上のアドポイントを購入した場合に、アドポイントの減り方を通常より少なくすることもできる。
【００４７】
固定ポイント制の広告方法は、この広告方法により広告を出すことをアドポイント管理サーバ１００へ登録した時点でポイント減算される。例えば、「フリーＤＶＤ（紙面）」は、１００ｐｔ／１０万部などとなる。従量ポイント制は、実際に広告を配信したときなどにアドポイントが減算され、例えば、「アンケート収集」では、１０ｐｔ／人となる。なお、「アンケート収集」を選択した際に、予め固定のアドポイントを減算することでもよい。
【００４８】
また、固定ポイント制と従量ポイント制は、アドメニュー画面による広告方法の選択に仕方によって組み合わせて使用されることになる。例えば、「フリーＤＶＤ（紙面）１００ｐｔ＋１０ポイント×アンケート回答数」などとなる。
【００４９】
なお、図１に示すアドポイント管理サーバ１００は、広告主ごと、購入したアドポイントのポイント数、契約した広告を出す方法、広告を出す各方法について固定ポイント制で使用したポイント数、従量ポイント制で使用されたポイント数のデータを保持している。
【００５０】
従量ポイント制で使用されたポイントは、ユーザ閲覧サイトサーバ３１から通知を受けることにより管理される。また、アドポイントの残りが所定以下になると、広告主２の端末２Ａに通知を送信する。広告主２が購入したアドポイントを全て消費してしまった場合は、従量ポイント制の広告をストップするか、配信する広告を制限する（例えば、広告の内容を替える）か、広告主のアドポイント数をマイナスとし、後から精算するなどの方法が使用される。
【００５１】
また、図３、図４、図５および図６は、本発明による広告ポイント預託システムにおける処理の例を示す図であり、具体的な例を挙げて示したものである。図３は、アドポイント購入フロー１１、告知型広告購入フロー１２における処理の流れを示す図であり、図４は、成果型広告購入フロー１３における処理の流れを示す図であり、図５は、ポイント還元広告購入フロー１４における処理の流れを示す図であり、図６は、成果型広告購入フロー１５及び広告主へのポイント還元フロー１６における処理の流れを示す図である。
【００５２】
［アドポイント購入フロー１１、告知型広告購入フロー１２の説明］
最初に、図３を参照して、アドポイント購入フロー１１、および告知型広告購入フロー１２における処理の流れについて説明する。広告主２は、広告代理店３を介して事務局４に対して代金を支払い、アドポイントの購入を行う（ステップＳ１１）。
【００５３】
事務局４にアドポイントの購入代金が入金されると（ステップＳ１２）、アドポイント管理サーバ１００に広告主２のアドポイントの設定が行われる（ステップＳ１３）。また、広告主２のＷｅｂページの設定、広告主ＩＤ（広告主の識別情報）、パスワードの設定を行い、広告主に連絡する（ステップＳ１４）。そして、例えば、広告主２がアドポイントとして１０００ｐｔ分を購入したとする。
【００５４】
次に、広告主２は、Ｗｅｂ＆Ｍａｉｌサーバ２１の広告配信管理ページ２０により提供されるアドメニュー画面を閲覧する（ステップＳ１５）。なお、アドメニュー画面により、「フリーＤＶＤ（紙面）」、「フリーＤＶＤ（映像）」、「アンケートの収集」、「ＰｔｏＰネットワーク」、「ユーザポイントの設定」を選択・指定できるものとする。
【００５５】
広告主２は、最初に、アドメニュー６１の中から、告知型の広告として、「フリーＤＶＤ（紙面）」と「フリーＤＶＤ（映像）」を選択する（ステップＳ１６）。なお、告知型広告は固定ポイント制（固定金額）であり、広告の基本料金に相当するものである。広告主２により選択されたアドメニュー６１Ａの情報は、Ｗｅｂ＆Ｍａｉｌサーバ２１からアドポイント管理サーバ１００に通知され（ステップＳ１７）、広告主２の選択した広告が告知型広告媒体（例えば、フリーＤＶＤを添付した雑誌等）に掲載される（ステップＳ１８）。そして、告知型広告の購入料金２００ｐｔがアドポイントから減算され、アドポイントの残りは８００ｐｔとなる（ステップＳ１９）。
【００５６】
上述した、アドポイント購入フロー１１および告知型広告購入フロー１２が終わると、成果型広告購入フロー１３または成果型広告購入フロー１５に移行する。
【００５７】
［成果型広告購入フロー１３の説明］
次に、図４を参照して、成果型広告購入フロー１３における処理の流れについて説明する。広告主２は、アドメニュー６１Ｂの中から、成果型の広告を選択する（ステップＳ２１）。広告主２により選択されたアドメニュー６１Ｂの情報は、Ｗｅｂ＆Ｍａｉｌサーバ２１からアドポイント管理サーバ１００に通知される（ステップＳ２２）。
【００５８】
この例では、「アンケート収集１０ｐｔ／人」と「ＰｔｏＰネットワーク１０ｐｔ／人」が選択され、広告閲覧ユーザ５０が、ユーザ閲覧サイト３０のユーザ閲覧サイトサーバ３１にアクセスし、アンケートに回答した場合や、ＰｔｏＰにより一人の顧客がユーザ端末に広告情報を表示した場合に（ステップＳ２３）、アドポイント管理サーバ１００から広告主のアドポイントが減算される（ステップＳ２４）。この例では、一人のアンケート回答１０ｐｔ、一人のＰｔｏＰによる広告表示１０ｐｔの合計２０ｐｔが減算されアドポイントの残りは７８０ｐｔとなる。なお、減算処理でポイントがゼロ以下になった場合、マイナスポイントがつく。または、「広告掲載が終了しました」の表示が出るようにする。
【００５９】
上述した、成果型広告購入フロー１３が終わると、ポイント還元広告購入フロー１４に移行する。
【００６０】
［ポイント還元広告購入フロー１４の説明］
次に、図５を参照して、ポイント還元広告購入フロー１４における処理の流れについて説明する。広告主２は、アドメニュー６１Ｃの中から、「ユーザポイントの設定（ユーザポイントの還元の設定）」を選択する（ステップＳ３１）。なお、この場合は、ユーザに還元するサービスポイントのレートと、還元するアドポイントの総量も設定する。広告主２により選択されたアドメニュー６１Ｃの情報は、Ｗｅｂ＆Ｍａｉｌサーバ２１からアドポイント管理サーバ１００に通知される（ステップＳ３２）。
【００６１】
そして、広告主２がアドポイントをユーザに還元する情報は、Ｗｅｂ＆Ｍａｉｌサーバ２１を介して、アドポイント管理サーバ１００送信され（ステップＳ３３）、また、ユーザ閲覧サイトサーバ３１を通して広告閲覧ユーザ５０の端末に告知される。この例では、広告主２のアドポイント７８０ｐｔが還元（配布）されることが告知される（ステップＳ３４）。
【００６２】
広告閲覧ユーザ５０は、ユーザ閲覧サイトサーバ３１を閲覧し、広告主２のアドポイントの還元に応募する（ステップＳ３５）。この例では、一人１０ｐｔとして、７８名にアドポイントが還元される。広告閲覧ユーザ５０によるユーザ閲覧サイトサーバ３１の閲覧情報は、アドポイント管理サーバ１００およびＷｅｂ＆Ｍａｉｌサーバ２１に通知され、広告主２のアドポイントからユーザに取得されたアドポイントが減算処理される（ステップＳ３６）。
【００６３】
なお、広告閲覧ユーザ５０が取得したアドポイントは、広告主２が提供するサービスを利用できる。例えば、ユーザＡのマイページ（マイルーム）から広告主２のサイトへリンクし（ステップＳ３７）、音楽の曲の購入や、マイルームにおくことができる特典画像をダウンロードするなどのサービスの提供を受けることができる。
【００６４】
［成果型広告購入フロー１５、広告主へのポイント還元フロー１６の説明］
次に、図６を参照して、成果型広告購入フロー１５及び広告主へのポイント還元フロー１６における処理の流れについて説明する。広告主２は、図４に示す告知型広告購入フロー１２の後、成果型広告購入フロー１５において、アドメニュー６１Ｄの中から、成果型の広告を選択する（ステップＳ９１）。広告主２により選択されたアドメニュー６１Ｄの情報は、Ｗｅｂ＆Ｍａｉｌサーバ２１からアドポイント管理サーバ１００に通知される（ステップＳ９２）。
【００６５】
この例では、成果型の広告として「共同キャンペーン２０ｐｔ／人、応募顧客１名で５ｐｔ還元」が選択され、広告閲覧ユーザ５０が、共同キャンペーンについてのユーザ閲覧サイト３０のユーザ閲覧サイトサーバ３１にアクセスし、共同キャンペーンへの応募情報（以下、単に「キャンペーン応募情報」と記載）を送信して共同キャンペーンへ応募した場合に（ステップＳ９３）、アドポイント管理サーバ１００から広告主のアドポイントが減算される（ステップＳ９４）。この例では、一人のキャンペーン応募２０ｐｔが減算されアドポイントの残りは７８０ｐｔとなる。
【００６６】
続く広告主へのポイント加算フロー１６において、事務局４は、共同キャンペーンへの応募してきたユーザの情報を把握する（ステップＳ９５）。例えば、事務局４は、ユーザ閲覧サイトサーバ３１から収集されたキャンペーン応募情報を取得し、閲覧する。このように、広告主２と事務局４の共同キャンペーンの場合、広告主２と事務局４において顧客リストを共同で用いることとし、事務局４側でも資産としても活用する。そして、事務局活用分をアドポイントとして、広告主２に還元する。
【００６７】
事務局４は、アドポイント管理サーバ１００へアドポイントの加算の指示を入力する（ステップＳ９６）。アドポイント管理サーバ１００は、事務局４が取得したキャンペーン応募情報に基づき広告主２のアドポイントを加算する（ステップＳ９７）。この例では、一人のキャンペーン応募５ｐｔが加算されアドポイントの残りは７８５ｐｔとなる。
【００６８】
なお、最初にアドポイント購入フロー１１が実施されること、及び、成果型広告購入フロー１５の後に広告主へのポイント還元フロー１６が実施されること以外は、アドポイント購入フロー１１、告知型広告購入フロー１２、成果型広告購入フロー１３及び１５、ポイント還元広告購入フロー１４、広告主へのポイント還元フロー１６は、必ずしも上述した順に実施されるものではなく、また、各フローが繰り返されたり、同時に複数のフローが実施されたりする。
【００６９】
［広告ポイント預託システムの構成例の説明］
また、図７は、本発明による広告ポイント預託システムの構成例を示す図である。図６に示す例は、広告ポイント預託システム１を、アドポイント管理サーバ１００と、Ｗｅｂ＆Ｍａｉｌサーバ２１と、ユーザ閲覧サイトサーバ３１とで構成した例を示しており、また、本発明に直接関係する部分について示したものである。
【００７０】
また、広告ポイント預託システム１は、インターネット等の通信ネットワーク５を介して、広告主端末２Ａ、ユーザ端末５１、およびユーザ端末５１からＰｔｏＰ配信を受けたユーザ端末５１Ａと通信接続されている。なお、広告主端末２Ａ、ユーザ端末５１、およびユーザ端末５１は、実際には複数のものである。
【００７１】
Ｗｅｂ＆Ｍａｉｌサーバ２１には、Ｗｅｂ＆Ｍａｉｌサーバ２１の全体を制御する制御部２２と、Ｗｅｂ＆Ｍａｉｌサーバ２１の機能を実現するために必要な処理を実行する処理プログラム部２３とを備えている。
【００７２】
処理プログラム部２３内のアドメニュー表示部（広告方法選択メニュー表示手段）２４は、広告主の広告主端末２Ａに対して、アドメニュー画面（広告方法選択メニュー）の情報を送信して表示させるための処理部である。
【００７３】
アドメニュー選択情報受付部（広告メニュー選択情報受付手段）２５は、広告主端末２Ａからアドメニューの選択情報を受信するための処理部である。アドメニュー情報送信部２６は、広告主端末２Ａから受信したアドメニューの選択情報をアドポイント管理サーバ１００に送信するための処理部である。通知送信部２７は、アドポイント管理サーバ１００のデータベース１２０を参照し、広告主のアドポイントが所定数以下になったときに、広告主端末２Ａに電子メール等にて通知するための処理部である。
【００７４】
アドポイント管理サーバ１００には、アドポイント管理サーバ１００の全体を制御する制御部１０１と、アドポイント管理サーバ１００の機能を実現するために必要な処理を実行する処理プログラム部１１０と、データベース１２０とを備えている。
【００７５】
処理プログラム部１１０内のアドポイント購入受付部（広告ポイント購入受付手段）１１１は、広告主端末２Ａからのアドポイントの購入申し込み情報を受信し（または、システムの管理者がデータ入力し）、データベース１２０に広告主ＩＤと共に、アドポイント情報を記録するための処理部である。
【００７６】
アドメニュー選択情報受信部１１２は、Ｗｅｂ＆Ｍａｉｌサーバ２１から、広告主が選択したアドメニュー選択情報を受信し、データベース１２０にアドメニュー選択情報として記録するための処理部である。
【００７７】
広告成果情報受信部１１３は、成果型の広告についての成果情報を、ユーザ閲覧サイトサーバ３１から受信するための処理部である。アドポイント計算部（広告ポイント計算手段）１１４は、アドメニュー選択情報と、広告成果情報を基にアドポイントを算出し、広告主の保持するアドポイントから減算するための処理部である。
【００７８】
還元ポイント管理部１１５は、ユーザまたは広告主に還元するポイントをデータベース１２０に記録し管理するための処理部である。還元ポイント管理部１１５は、ユーザに還元したアドポイントを、広告主の保持するアドポイントから減算する処理を行う。また、広告主へのポイント還元の指示を受信し、広告主に還元するアドポイントを、広告主の保持するアドポイントへ加算する処理を行う。
【００７９】
ユーザ閲覧サイトサーバ３１には、ユーザ閲覧サイトサーバ３１の全体を制御する制御部３２と、ユーザ閲覧サイトサーバ３１の機能を実現するために必要な処理を実行する処理プログラム部３３とを備えている。
【００８０】
処理プログラム部３３内のユーザアクセス受付部３４は、ユーザ端末５１からのアクセスを受付けるための処理部である。
アンケート収集処理部３５は、アクセスしてきたユーザ端末５１に対してアンケート情報を送信し、アンケートの回答情報を収集するための処理部である。また、収集されたアンケート回答情報（アンケート収集情報）をデータベース３９に記録する処理も行う。
【００８１】
ポイント還元処理部３６は、ユーザ端末５１に対して、アドポイントの還元を告知する情報を送信する他に、ユーザに対してアドポイントを付与するための処理を行う。また、ユーザ還元ポイントの情報をアドポイント管理サーバ１００に送信する処理を行う。
【００８２】
ＰｔｏＰ情報収集処理部３７は、ユーザ端末５１から暗号化コンテンツを受信し、この暗号化コンテンツの復号キーをダウンロードするためにユーザ端末５１Ａがユーザ閲覧サイトサーバ３１にアクセスして広告主２のＷｅｂページを閲覧（ページビュー）した場合に、この閲覧情報を収集し、データベース３９にＰｔｏＰ収集情報として記録するための処理部である。
【００８３】
キャンペーン応募情報収集処理部４０は、アクセスしてきたユーザ端末５１に対して共同キャンペーンの内容を通知する情報と参加を募集する情報を送信し、キャンペーン応募情報を収集するための処理部である。また、収集されたキャンペーン応募情報をデータベース３９に記録する処理も行う。キャンペーン応募情報には、例えば、ユーザの名前や連絡先などの情報が含まれる。
【００８４】
広告成果情報送信処理部３８は、データベース３９に記録された「アンケート収集情報」、「ＰｔｏＰ収集情報」、「キャンペーン応募情報」を基に、広告成果を集計し、広告成果情報として、アドポイント管理サーバ１００に送信するための処理部である。
【００８５】
なお、図６に示す例では、広告ポイント預託システム１を、アドポイント管理サーバ１００と、Ｗｅｂ＆Ｍａｉｌサーバ２１と、およびユーザ閲覧サイトサーバ３１とで構成した例を示しているが、これらを、１つまたは２つのサーバに集約して構成することもできる。
【００８６】
以上、本発明の実施の形態について説明したが、図６に示す、Ｗｅｂ＆Ｍａｉｌサーバ２１、ユーザ閲覧サイトサーバ３１、およびアドポイント管理サーバ１００は、内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。
【００８７】
すなわち、Ｗｅｂ＆Ｍａｉｌサーバ２１、ユーザ閲覧サイトサーバ３１、およびアドポイント管理サーバ１００における、各処理は、ＣＰＵ等の中央演算処理装置がＲＯＭやＲＡＭ等の主記憶装置に上記プログラムを読み出して、情報の加工、演算処理を実行することにより、実現されるものである。
【００８８】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００８９】
以上、本発明の実施の形態について説明したが、本発明による広告ポイント預託システムは、上述の図示例にのみ限定されるものではなく、本発明の要旨を逸脱しない範囲内において種々変更を加え得ることは勿論である。
【産業上の利用可能性】
【００９０】
本発明においては、広告主が効果的な広告方法を容易に指定でき、また、広告の内容および広告の成果に応じて、広告料金を広告ポイントにより支払うことができる効果を奏するので、本発明は、広告ポイント預託方法、および広告ポイント預託システム等に有用である。
【図面の簡単な説明】
【００９１】
【図１】本発明による広告ポイント預託システムの概要を示す図である。
【図２】広告主がアドメニューにより選択できる広告の出し方の例を示す図である。
【図３】アドポイント購入フロー、告知型広告購入フローにおける処理の流れを示す図である。
【図４】成果型広告購入フローにおける処理の流れを示す図である。
【図５】ポイント還元処理フローにおける処理の流れを示す図である。
【図６】成果型広告購入フロー、広告主へのポイント還元フローにおける処理の流れを示す図である。
【図７】本発明による広告ポイント預託システムの構成例を示す図である。
【符号の説明】
【００９２】
１  広告ポイント預託システム
２  広告主
２Ａ  広告主端末
５  通信ネットワーク
１１  アドポイント購入フロー
１２  告知型広告購入フロー
１３、１５  成果型広告購入フロー
１４  ポイント還元広告購入フロー
１６  広告主へのポイント還元フロー
２１  Ｗｅｂ＆Ｍａｉｌサーバ
２４  アドメニュー表示部
２５  アドメニュー選択情報受付部
２６  アドメニュー情報送信部
２７  通知送信部
３０  ユーザ閲覧サイト
３１  ユーザ閲覧サイトサーバ
３１Ａ  広告主のＷｅｂページ
３４  ユーザアクセス受付部
３５  アンケート収集処理部
３６  ポイント還元処理部
３７  ＰｔｏＰ情報収集処理部
３８  広告成果情報送信処理部
３９  データベース
４０  キャンペーン応募情報収集処理部
５１、５１Ａ  ユーザ端末
２１Ａ、６１、６１Ａ、６１Ｂ、６１Ｃ、６１Ｄ  アドメニュー
１００  アドポイント管理サーバ
１１１  アドポイント購入受付部
１１２  アドメニュー選択情報受信部
１１３  広告成果情報受信部
１１４  アドポイント計算部
１１５  還元ポイント管理部
１２０  データベース
【図１】
0004788245.tif 000002
【図２】
0004788245.tif 000003
【図３】
0004788245.tif 000004
【図４】
0004788245.tif 000005
【図５】
0004788245.tif 000006
【図６】
0004788245.tif 000007
【図７】
0004788245.tif 000008